(57)【要約】      （修正有）【課題】鎌を収納した状態で腰ベルトに吊り下げて安全に携帯でき、且つ、鎌の出し入れが容易な鎌の鞘を提供する。【解決手段】鎌の刃体部５を収納する収納部１と、この収納部１を鎌の柄部６に固定するための留め部２、及び、腰ベルトに吊り下げるためのベルト通し３を設けた。そして、ベルト通し３に対して収納部１が回転可能とし、鎌を収納していない時は、収納部１の自重で収納部１の入り口が上方を向き、鎌を収納した時は、鎌の柄部６が自重で鉛直方向に垂れ下がる構造とした。【選択図】図１
0003147088.tif 000002
【実用新案登録請求の範囲】
【請求項１】
鎌の刃体部を収納する収納部と、該収納部を鎌の柄部に固定するための留め部、及び、該収納部を腰ベルトに吊り下げるためのベルト通しを設けた事を特徴とする鎌携帯用の鞘
【請求項２】
第二考案は、ベルト通しに対して収納部が回転可能な構造を有し、腰ベルトに吊り下げた状態で鎌を収納する時、及び、鎌を取り出す時に、収納部の入り口を上方に向け、鎌の柄部を水平にした状態で鎌の出し入れが可能な事を特徴とする請求項１の鎌携帯用の鞘
【請求項３】
腰ベルトに吊り下げた状態で、鎌を収納していない時は、収納部の自重で収納部の入り口が上方を向く事を特徴とする請求項１の鎌携帯用の鞘
【請求項４】
腰ベルトに吊り下げた状態で、鎌を収納した時は、鎌の柄部が自重で鉛直方向に垂れ下がる事を特徴とする請求項１の鎌携帯用の鞘
【考案の詳細な説明】
【技術分野】
【０００１】鎌を安全に携帯し、且つ、容易に出し入れ可能な鞘の形状に関する。
【背景技術】
【０００２】従来ある鎌の鞘の第一の例は、図１０に示すように、鎌の刃体部を収納し、該収納部を鎌の柄部に固定するものである。
【考案の開示】
【考案が解決しようとする課題】
【０００３】  しかしながら、従来ある鎌鞘の技術によれば、鎌の刃体部を収納した状態で、腰ベルトに吊り下げる構造になっていないため、他の道具を使用する場合、鎌を地面等に置いたり、腰ベルトに鎌の柄部を差し込んで保持したりする必要があった。そのため、前者では鎌を紛失し易い欠点があり、後者では、転倒時に鎌の刃や柄で怪我をし易いと言う欠点があった。
そこでこの考案は、鎌を収納した状態で腰ベルトに吊り下げて安全に携帯でき、且つ、鎌の出し入れが容易な鎌の鞘を提供する事を課題とする。
【課題を解決するための手段】
【０００４】  以上の課題を解決するために、第一考案は、鎌の刃体部を収納する収納部と、該収納部を鎌の柄部に固定するための留め部、及び該収納部を腰ベルトに吊り下げるためのベルト通しを設けた事を特徴とする鎌携帯用の鞘である。
また、第二考案は、ベルト通しに対して収納部が回転可能な構造を有し、腰ベルトに吊り下げた状態で鎌を収納する時、及び、鎌を取り出す時に、収納部の入り口を上方に向け、鎌の柄部を水平にした状態で鎌の出し入れが可能な事を特徴とする鎌携帯用の鞘である。
また、第三考案は、腰ベルトに吊り下げた状態で、鎌を収納していない時は、収納部の自重で収納部の入り口が上方を向く事を特徴とする鎌携帯用の鞘である。
また、第四考案は、腰ベルトに吊り下げた状態で、鎌を収納した時は、鎌の柄部が自重で鉛直方向に垂れ下がる事を特徴とする鎌携帯用の鞘である。
【考案の効果】
【０００５】  第一考案によれば、鎌の鞘に鎌の刃体部の収納部と該収納部を鎌の柄部に固定する留め部、及び腰ベルトに吊り下げるベルト通しを設けた事により、鎌を腰ベルトに吊り下げて安全に携帯する事ができる。
第二考案によれば、鎌の鞘を腰ベルトに吊り下げた状態で回転可能とした事により、鎌を容易に収納、及び取り出す事ができる。
第三考案によれば、鎌の鞘を腰ベルトに吊り下げた状態で、鎌を収納していない時は、収納部の自重で収納部の入り口が上方を向いている事により、鎌を容易に収納する事ができる。
第四考案によれば、鎌の鞘を腰ベルトに吊り下げた状態で、鎌を収納した時に、鎌の柄部が自重で鉛直方に垂れ下がる事により、鎌の柄が邪魔にならず作業する事ができる。
【考案を実施するための最良の形態】
【０００６】  この考案の一実施形態を、図１に示す。
収納部１は鎌の刃体部５を収納するのに十分な寸法を有する袋状の形態を有し、この収納部１には、ベルト７を通すためのベルト通し３と、収納部１から刃体部５が脱落するのを防止するため、収納部１を鎌の柄部６に留めるための留め部２を設けた。ベルト通し３は、取り付けピン４によって収納部１の中央から留め部２にやや寄った位置に設けた。取り付けピン４は収納部１の中央から留め部２にやや寄った位置の下方に設けた。収納部１は取り付けピン４を中心にしてベルト通し３に対して回転可能とした。留め部２は、鎌の柄部６と刃体部５の付け根付近で、鎌の柄部６に対し手前側と奥側に設け、各々に鎌の柄部５を両側から挟み込んで固定する対になった留め具８を設けた。
【実施例】
【０００７】  この考案の一実施例を図２に示す。
収納部１は鎌の刃体部５を収納するのに十分な寸法を有する袋状の形態を有し、この収納部１には、ベルト７を通すためのベルト通し３と、収納部１から刃体部５が脱落するのを防止するため、収納部１を鎌の柄部６に留めるための留め部２を設けた。ベルト通し３は、取り付けピン４によって収納部１の中央から留め部２にやや寄った位置に設けた。取り付けピン４は収納部１の中央から留め部２にやや寄った位置の下方に設けた。収納部１は取り付けピン４を中心にしてベルト通し３に対して回転可能とした。留め部２は、鎌の柄部６と刃体部５の付け根付近で、鎌の柄部６に対し手前側と奥側に設け、各々に鎌の柄部５を両側から挟み込んで固定する対になった留め具８を設けた。【０００８】「実施形態の効果」
この考案の実施形態の効果を図３〜図９に示す。
図３の通り、鎌を収納していない状態で、ベルト７をベルト通３に通して、腰に巻いた時、収納部１は取り付けピン４を中心にベルト通し３に対して回転可能な事から、自重によって回転して鉛直方向に垂れ下がり、収納部１の入り口は上方を向くという効果がある。【０００９】  図４の通り、鎌を収納していない状態で、ベルト７をベルト通３に通して、腰に巻いた時、収納部１は取り付けピン４を中心にベルト通し３に対して回転可能な事から、自重によって回転して鉛直方向に垂れ下がり、収納部１の入り口は上方を向いている事により、鎌の柄部６を水平に持ち、刃体部５を上方から差し込めるため、鎌の収納が安全に容易に行えるという効果がある。また、鎌を取り出す時にも同様に鎌の柄部６を水平に持ち、刃体部５を上方に引き抜けるため、鎌の取出しが安全に容易に行えるという効果がある。【００１０】  図５の通り、ベルト７をベルト通３に通して、腰に巻いた状態で鎌を収納した時、収納部１は取り付けピン４を中心にベルト通し３に対して回転可能な事から、鎌の柄部６の自重によって回転して柄部６が鉛直方向に垂れ下がる事により、鎌の柄が邪魔にならず作業する事ができ、且つ、鎌を安全に携帯できるという効果がある。【００１１】  図６の通り、留め部２が鎌の柄部６の手前側と奥側から鎌の柄部６を挟み込んで、双方の留め部２に設けた一対の留め具８を相互に勘合させる事により、鎌の刃体部５が収納部１から脱落する事を防止できるという効果がある。【００１２】  図７は図３を裏側から見たもので、本考案の実施例の使用状態を他人から場合を示す。【００１３】  図８は図４を裏側から見たもので、本考案の実施例の使用状態を他人から場合を示す。【００１４】  図９は図５を裏側から見たもので、本考案の実施例の使用状態を他人から場合を示す。【００１５】「他の実施形態」
図１の実施形態では、留め具２は一対のホックであったが、他の実施形態では、一対のマグネットボタンか、一対のマジックテープか、一対のフックでも良い。
また、留め部２は収納部１と一体の素材であったが、鎌の柄部６の緊縛度の調整を容易にするため、留め部２を伸縮性の素材としても良い。
【図面の簡単な説明】
【０００９】
【図１】この考案の一実施形態を示す斜視図である。
【図２】この考案の一実施例示す平面図である。
【図３】この考案の一実施形態の効果を示す平面図である。
【図４】この考案の一実施形態の効果を示す平面図である。
【図５】この考案の一実施形態の効果を示す平面図である。
【図６】この考案の一実施形態の効果を示す斜視図である。
【図７】この考案の一実施形態の効果を示す平面図である。
【図８】この考案の一実施形態の効果を示す平面図である。
【図９】この考案の一実施形態の効果を示す平面図である。
【図１０】従来技術を示す図である。
【符号の説明】
【００１０】１  収納部                          ２  留め部
３  ベルト通し                      ４  取り付けピン
５  鎌の刃体部                      ６  鎌の柄部
７  ベルト                          ８  留め具
９  従来技術の鎌の鞘
【図１】
0003147088.tif 000003
【図２】
0003147088.tif 000004
【図３】
0003147088.tif 000005
【図４】
0003147088.tif 000006
【図５】
0003147088.tif 000007
【図６】
0003147088.tif 000008
【図７】
0003147088.tif 000009
【図８】
0003147088.tif 000010
【図９】
0003147088.tif 000011
【図１０】
0003147088.tif 000012
【手続補正書】
【提出日】平成20年6月2日(2008.6.2)
【手続補正１】
【補正対象書類名】実用新案登録請求の範囲
【補正対象項目名】請求項２
【補正方法】変更
【補正の内容】
【請求項２】
「第二考案は、」を削除
【手続補正２】
【補正対象書類名】明細書
【補正対象項目名】００１５
【補正方法】変更
【補正の内容】
【００１５】「マジックテープ」を「面ファスナー」変更
【手続補正書】
【提出日】平成20年8月27日(2008.8.27)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項２
【補正方法】変更
【補正の内容】
【請求項２】
ベルト通しに対して収納部が回転可能な構造を有し、腰ベルトに吊り下げた状態で鎌を収納する時、及び、鎌を取り出す時に、収納部の入り口を上方に向け、鎌の柄部を水平にした状態で鎌の出し入れが可能な事を特徴とする請求項１の鎌携帯用の鞘
【手続補正２】
【補正対象書類名】手続補正書
【補正対象項目名】手続補正２
【補正方法】変更
【補正の内容】
【手続補正２】
【補正対象書類名】明細書
【補正対象項目名】００１５
【補正方法】変更
【補正の内容】
【００１５】「他の実施形態」
図１の実施形態では、留め具２は一対のホックであったが、他の実施形態では、一対のマグネットボタンか、一対の面ファスナーか、一対のフックでも良い。
また、留め部２は収納部１と一体の素材であったが、鎌の柄部６の緊縛度の調整を容易にするため、留め部２を伸縮性の素材としても良い。